(57)【要約】【課題】直感的な操作で画面遷移を行うことで操作性の向上を図り、演出性も向上させたエレベータ用操作装置を簡易な構成で提供することを目的とする。【解決手段】入力操作部を備え、入力操作部はタッチスクリーンを含み、タッチスクリーンは、エレベータの行先階を指定する行先階登録ボタンと扉開閉ボタンと非常呼びボタンと背景とを表示するディスプレイと、画面遷移に係る操作を認識するタッチパネルとを含み、タッチパネルは、タッチスクリーンに対するエレベータ乗客のジェスチャーによる操作を判別し、判別結果に基づいてディスプレイの表示画面を画面遷移させる。【選択図】図４
2019026417.tif 000002
【特許請求の範囲】
【請求項１】
入力操作部を備え、
前記入力操作部はタッチスクリーンを含み、
前記タッチスクリーンは、
エレベータの行先階を指定する行先階登録ボタンと扉開閉ボタンと非常呼びボタンと背景とを表示するディスプレイと、
画面遷移に係る操作を認識するタッチパネルとを含み、
前記タッチパネルは、タッチスクリーンに対するエレベータ乗客のジェスチャーによる操作を判別し、前記判別結果に基づいて前記ディスプレイの表示画面を画面遷移させる
エレベータ用操作装置。
【請求項２】
前記画面遷移の前後で前記扉開閉ボタンおよび前記非常呼びボタンがディスプレイ上に継続して表示されること
を特徴とする請求項１に記載のエレベータ用操作装置。
【請求項３】
前記画面遷移によって前記扉開閉ボタンおよび前記非常呼びボタンが第１の制限表示高さ以上に移動しないこと
を特徴とする請求項１又は請求項２に記載のエレベータ用操作装置。
【請求項４】
前記画面遷移によって前記扉開閉ボタンおよび前記非常呼びボタンが第２の制限表示高さ以下に移動しないこと
を特徴とする請求項１乃至請求項３のいずれか１項に記載のエレベータ用操作装置。
【請求項５】
前記画面遷移の前後で前記扉開閉ボタンおよび前記非常呼びボタンが所定の表示位置から移動しないこと
を特徴とする請求項１又は請求項２に記載のエレベータ用操作装置。
【請求項６】
前記タッチスクリーンは、左右方向のフリック操作によって、前記ディスプレイに表示された第１の背景が第２の背景に画面遷移すること
を特徴とする請求項１乃至請求項５のいずれか1項に記載のエレベータ用操作装置。
【請求項７】
前記タッチスクリーンは、左右方向のフリック操作によって、前記ディスプレイに表示された第１形状の前記行先階登録ボタンが第２形状の前記行先階登録ボタンに画面遷移すること
を特徴とする請求項１乃至請求項５のいずれか１項に記載のエレベータ用操作装置。
【請求項８】
前記タッチスクリーンは、上下方向のフリック操作によって、操作前に前記ディスプレイに表示された行先階よりも上階の行先階又は下階の行先階を示す前記行先階登録ボタンを表示する画面に画面遷移すること
を特徴とする請求項１乃至請求項７のいずれか１項に記載のエレベータ用操作装置。
【請求項９】
前記タッチスクリーンは、上下方向のドラッグ操作によって、表示された前記行先階登録ボタンの床面からの高さを変化させるように画面遷移すること
を特徴とする請求項１乃至請求項８のいずれか１項に記載のエレベータ用操作装置。
【請求項１０】
前記タッチスクリーンは、所定時間内に行先階を登録する操作が無いときは、前記行先階登録ボタンの床面からの高さが所定高さに復帰するように画面遷移すること
を特徴とする請求項９に記載のエレベータ用操作装置。
【請求項１１】
前記タッチスクリーンは、ピンチイン操作によって、表示された前記行先階登録ボタンを縮小表示させること
を特徴とする請求項１乃至請求項１０のいずれか１項に記載のエレベータ用操作装置。
【請求項１２】
前記タッチスクリーンは、ピンチアウト操作によって、表示された前記行先階登録ボタンを拡大表示させること
を特徴とする請求項１乃至請求項１１のいずれか１項に記載のエレベータ用操作装置。
【発明の詳細な説明】
【技術分野】
【０００１】
本発明は、エレベータのかご内に設置する行先階登録のためのエレベータ用操作装置に関する。
【背景技術】
【０００２】
従来エレベータ用操作装置は、電気接点式ボタンスイッチや静電容量式スイッチ等による行先階登録スイッチにより構成されていた。近年、これらの行先階登録スイッチに代わり画面上に行先階登録ボタンを表示したタッチスクリーンを用いたエレベータ用操作装置が提案されている。ここで、タッチスクリーンとは、電子計算機の入力装置の一つであって、タッチパネルをディスプレイにセットしたものとする。
【０００３】
ところで、従来の行先階登録スイッチはエレベータ用操作装置の一部品として機械的に組み込まれていたため、乗客の身長によっては、操作性が悪いものとなっていた。そこで、エレベータを利用する乗客の身長や状態に合わせて、行先階登録ボタンの位置を変更することを目的に、タッチスクリーンの画面上に行先階登録ボタンの表示位置を移動させるスクロールボタンを有したり、身長検出センサーにより検出された身長に応じた表示位置に行先階登録ボタンを表示させるエレベータ用操作装置が提案されている（例えば特許文献１）。
【０００４】
特許文献１のエレベータ用操作装置（エレベータ用操作盤）は、タッチスクリーンの画面上に上下方向を示すスクロールボタンを表示させ、当該スクロールボタンにタッチすることにより、行先階登録ボタン（行先階を指定する呼釦）を表示する操作表示部の表示位置を移動する。また、タッチスクリーンと並べてタッチスクリーンを操作する乗客の身長を検出する身長検出センサーを備えることにより、身長検出センサーの検出結果に基づき、操作表示部の表示位置を移動する。
【先行技術文献】
【特許文献】
【０００５】
【特許文献１】国際公開第０１/０９６２２４号
【発明の概要】
【発明が解決しようとする課題】
【０００６】
しかしながら、従来のタッチスクリーンを備えたエレベータ用操作装置は、表示された行先階登録ボタン等の画面表示を直感的な操作で画面遷移させるものとはなっていなかった。また、センサーを使用した画面遷移は構成が複雑なものであり、据付け、調整の工数が大きくなるものとなっていた。また、タッチスクリーンの特徴である画面表示を生かしておらず、演出性の低いものとなっていた。
【０００７】
そこで、本発明は、直感的な操作で画面遷移を行うことで操作性の向上を図り、演出性も向上させたエレベータ用操作装置を簡易な構成で提供することを目的とする。
【課題を解決するための手段】
【０００８】
本発明に係るエレベータ用操作装置は、入力操作部を備え、入力操作部はタッチスクリーンを含み、タッチスクリーンは、エレベータの行先階を指定する行先階登録ボタンと扉開閉ボタンと非常呼びボタンと背景とを表示するディスプレイと、画面遷移に係る操作を認識するタッチパネルとを含み、タッチパネルは、タッチスクリーンに対するエレベータ乗客のジェスチャーによる操作を判別し、判別結果に基づいてディスプレイの表示画面を画面遷移させる。
【０００９】
本発明に係るエレベータ用操作装置によれば、乗客の指を使ったジェスチャーで画面操作を行い、直感的な操作で画面遷移を行うことが可能であるため、操作性が向上する。
【００１０】
また、本発明に係るエレベータ用操作装置の一態様におけるタッチスクリーンは、画面遷移の前後で扉開閉ボタンおよび非常呼びボタンがディスプレイ上に継続して表示される。
【００１１】
本発明に係るエレベータ用操作装置によれば、画面遷移の前後で、非常時・緊急時に使用する扉開閉ボタンおよび非常呼びボタンが継続して表示されるため、非常時・緊急時に使用する扉開閉ボタンおよび非常呼びボタンがディスプレイ上から消える事態を回避することができる。
【００１２】
また、本発明に係るエレベータ用操作装置の一態様におけるタッチスクリーンは、画面遷移によって扉開閉ボタンおよび非常呼びボタンが第１の制限表示高さ以上に移動しない。
【００１３】
本発明に係るエレベータ用操作装置によれば、画面遷移しても前記扉開閉ボタンおよび前記非常呼びボタンが第１の制限表示高さ以上に移動しないため、各ボタンが高い位置に表示されると操作が困難な乗客（例えば、子供や身長の低い乗客）が非常時・緊急時にボタンを操作することができない事態を回避することができる。
【００１４】
また、本発明に係るエレベータ用操作装置の一態様におけるタッチスクリーンは、画面遷移によって扉開閉ボタンおよび非常呼びボタンが第２の制限表示高さ以下に移動しない。
【００１５】
本発明に係るエレベータ用操作装置によれば、画面遷移しても扉開閉ボタンおよび非常呼びボタンが第２の制限表示高さ以下に移動しないため、扉開閉ボタンおよび非常呼びボタンの表示位置が低すぎて窮屈な姿勢での操作を強いられる事態を回避することができる。
【００１６】
また、本発明に係るエレベータ用操作装置の一態様におけるタッチスクリーンは、画面遷移の前後で扉開閉ボタンおよび非常呼びボタンが所定の表示位置から移動しない。
【００１７】
本発明に係るエレベータ用操作装置によれば、画面遷移の前後で、非常時・緊急時に使用する扉開閉ボタンおよび非常呼びボタンが所定の表示位置から移動しないため、ボタンを探すことなく操作することができる。
【００１８】
また、本発明に係るエレベータ用操作装置の一態様におけるタッチスクリーンは、左右方向のフリック操作によって、ディスプレイに表示された第１の背景が第２の背景に画面遷移する。
【００１９】
本発明に係るエレベータ用操作装置によれば、直感的な操作で画面遷移を行うことによって、画面の背景デザインの変更が可能であるため、演出性が向上する。
【００２０】
また、本発明に係るエレベータ用操作装置の一態様におけるタッチスクリーンは、左右方向のフリック操作によって、ディスプレイに表示された第１形状の行先階登録ボタンが第２形状の行先階登録ボタンに画面遷移する。
【００２１】
本発明に係るエレベータ用操作装置によれば、直感的な操作で画面遷移を行うことによって、画面の行先階登録ボタン形状の変更が可能であるため、演出性が向上する。
【００２２】
また、本発明に係るエレベータ用操作装置の一態様におけるタッチスクリーンは、上下方向のフリック操作によって、操作前にディスプレイに表示された行先階よりも上階の行先階又は下階の行先階を示す行先階登録ボタンを表示する画面に画面遷移する。
【００２３】
本発明に係るエレベータ用操作装置によれば、行先階（サービス階）が多い場合であっても、一度に表示する行先階登録ボタンの数量を制限し、直感的な操作で画面遷移を行って、上階又は下階の行先階登録ボタンを表示することが可能であるため、目的とする行先階登録ボタンを探す必要がなく、操作性が向上する。
【００２４】
また、本発明に係るエレベータ用操作装置の一態様におけるタッチスクリーンは、上下方向のドラッグ操作によって、表示された行先階登録ボタンの床面からの高さを変化させるように画面遷移する。
【００２５】
本発明に係るエレベータ用操作装置によれば、乗客の指を使ったジェスチャーで画面操作を行い、直感的な操作で行先階登録ボタンの床面からの高さを変更することが可能であるため、操作性が向上する。
【００２６】
また、本発明に係るエレベータ用操作装置の一態様におけるタッチスクリーンは、所定時間に行先階を登録する操作が無いときは、行先階登録ボタンの床面からの高さが所定高さに復帰するように画面遷移する。
【００２７】
本発明に係るエレベータ用操作装置によれば、床面からの高さを変更された行先階登録ボタンが可能であるため、所定時間操作が無い場合、所定高さに復帰するため、あとからエレベータかごに乗り込む乗客は標準的な高さ（例えば床面から１２００mm程度）の行先階登録ボタンを操作することができる。
【００２８】
また、本発明に係るエレベータ用操作装置の一態様におけるタッチスクリーンは、ピンチイン操作によって、表示された前記行先階登録ボタンを縮小表示させる。
【００２９】
本発明に係るエレベータ用操作装置によれば、画面上に多くの行先階登録ボタンを表示できるため、画面遷移をすることなく目的とする行先階登録ボタンを探すことができる。
【００３０】
また、本発明に係るエレベータ用操作装置の一態様におけるタッチスクリーンは、ピンチアウト操作によって、表示された前記行先階登録ボタンを拡大表示させる。
【００３１】
本発明に係るエレベータ用操作装置によれば、例えば弱視者やお年寄りが行先階登録ボタン上に表示された行先階を表す文字を識別できない場合に、行先階登録ボタンを拡大することによって識別しやすくすることができる。
【発明の効果】
【００３２】
本発明に係るエレベータ用操作装置によれば、乗客の指を使ったジェスチャーで画面操作を行い、直感的な操作で画面遷移を行うことが可能であるため、操作性が向上する。また、直感的な操作で画面遷移を行うことによって、画面デザインの変更が可能であるため、演出性も向上する。
【図面の簡単な説明】
【００３３】
【図１】本発明の実施形態に係るエレベータかご内から出入口側を見た透視図
【図２】本発明の実施形態に係るエレベータ用操作装置を示す図
【図３】本発明の実施形態に係るエレベータ用操作装置の回路構成を示す構成図
【図４】本発明の実施形態１に係る画面遷移を示す図
【図５】本発明の実施形態２に係る画面遷移を示す図
【図６】本発明の実施形態３に係る画面遷移を示す図
【図７】本発明の実施形態４に係る画面遷移を示す図
【図８】本発明の実施形態５に係る画面遷移を示す図
【図９】本発明の実施形態６に係る画面遷移を示す図
【図１０】本発明の実施形態７に係る画面遷移を示す図
【図１１】本発明の実施形態８に係る画面遷移を示す図
【発明を実施するための形態】
【００３４】
以下、図面を参照しながら本発明の実施の形態について説明する。
【００３５】
以下の説明はかご内に設置されるエレベータ用操作装置について行う。なお、各実施形態において、同様の構成要素については同一の符号を付して説明を省略する。
【００３６】
図１は本発明の実施形態に係るエレベータかご内から出入口側を見た透視図である。
【００３７】
図１に記載のエレベータかごは、中央両側開きのドア２枚を有する。１０は一対のかごドアである。また、１１は一対の袖壁である。一方の袖壁１１には、行先階を登録するためのエレベータ用操作装置１が取り付けられている。
【００３８】
図２は本発明の実施形態に係るエレベータ用操作装置１を示す図である。図２に示すエレベータ用操作装置１は以下で説明する実施形態１乃至実施形態５で共通する構成を含む。
【００３９】
図２において、エレベータ用操作装置１は入力操作部として、タッチスクリーン２を含む。タッチスクリーン２はタッチパネル２ａとディスプレイ２bを含む。
【００４０】
図２において、ディスプレイ２bには二点鎖線で囲まれた行先階登録ボタン３と、二点鎖線で囲まれた扉開閉ボタン４と非常呼びボタン５が表示される。また、ディスプレイ２bは、エレベータの行先階を指定する行先階登録ボタン３と扉開閉ボタン４と非常呼びボタン５以外の部分に背景（例えば、図５における２１および２２）を表示する。
【００４１】
タッチパネル２ａは後述するエレベータ乗客の指によるジェスチャーに関する情報を検出する。
【００４２】
ここで、以下の説明におけるタッチスクリーン２に対するエレベータ乗客のジェスチャーによる各操作方法について、用語の定義を行う。
【００４３】
エレベータ用操作装置１は、タッチパネル２ａにより検出された接触、接触が行われた位置、接触が行われた時間、および接触が行われた位置の経時変化に基づいてジェスチャーの種別を判別する。ジェスチャーはタッチスクリーン２に対して行われる操作である。エレベータ用操作措置１によって判別されるジェスチャーの一例として、タッチ、スワイプ、ドラッグおよびフリック等がある。
【００４４】
「タッチ」は、タッチパネル２aに乗客の指が接触するジェスチャーである。エレベータ用操作装置１は、タッチパネル２aに乗客の指が接触するジェスチャーを「タッチ」と判別する。例えば、乗客がエレベータ用操作装置１のディスプレイ２bに表示された行先階登録ボタンに指を接触させると、「タッチ」のジェスチャーを判別し、行先階の登録を受け付ける。
【００４５】
「スワイプ」は、乗客の指がタッチスクリーン２上に接触したままで移動するジェスチャーである。エレベータ用操作装置１は、乗客の指がタッチスクリーン２上に接触したままで移動するジェスチャーを「スワイプ」として判別する。
【００４６】
「ドラッグ」は、移動可能なオブジェクトが表示されている領域を始点として「スワイプ」するジェスチャーである。エレベータ用操作装置１は、移動可能なオブジェクト（例えば、行先階登録ボタン３）が表示されている領域を始点として「スワイプ」するジェスチャーを「ドラッグ」として判別する。
【００４７】
「フリック」は、「タッチ」に続いて乗客の指が一方向へ高速で移動しながらリリース（タッチパネル２aから乗客の指が離れる）するジェスチャーである。エレベータ用操作装置１は、「タッチ」に続いて乗客の指が一方向へ高速で移動しながらリリースするジェスチャーを「フリック」として判別する。「フリック」は、乗客の指が画面の上方向へ移動する「上フリック」、乗客の指が画面の下方向へ移動する「下フリック」、乗客の指が右方向へ移動する「右フリック」、乗客の指が左方向へ移動する「左フリック」等を含む。
【００４８】
「ピンチイン」は、乗客の複数の指が近づく方向に「スワイプ」するジェスチャーである。エレベータ用操作装置１は、乗客の複数の指が近づく方向に「スワイプ」するジェスチャーを「ピンチイン」として判別する。「ピンチアウト」は、乗客の複数の指が遠ざかる方向に「スワイプ」するジェスチャーである。エレベータ用操作装置１は、乗客の複数の指が遠ざかる方向に「スワイプ」するジェスチャーを「ピンチアウト」として判別する。
【００４９】
図２において、行先登録ボタン３は、例えば、「１階」、「２階」、「３階」など建物の階床に対応した行先階登録ボタン３が表示される。乗客はエレベータかご内において、行先に対応する行先階登録ボタン３をタッチして、行先階を登録する。
【００５０】
また、扉開閉ボタン４は扉開ボタンと扉閉ボタンを含む。エレベータかご内の乗客は、エレベータかごに乗り込んでくる乗客がいない場合、扉閉ボタンにタッチし、エレベータ扉を閉じて、エレベータかごを行先階へ向けて出発させる。また、エレベータかご内の乗客は、エレベータかごに乗り込んでくる乗客がある場合、扉開ボタンにタッチし、エレベータ扉を開いた状態に保持して、エレベータかごに乗り込んでくる乗客がエレベータかご内に乗り込めるように配慮する。
【００５１】
また、非常呼びボタン５はエレベータに異常が発生したとき、エレベータかご内の乗客によってタッチされる。非常呼びボタン５がタッチされることにより、エレベータの異常が監視センター等に通報されると共に監視センターや管理人室等とインターフォンを介して通話が可能となる。
【００５２】
図３は本発明の実施形態に係るエレベータ用操作装置の回路構成を示す構成図である。７はエレベータ用操作装置１を制御する制御部である。制御部７は、ＣＰＵ８と、画像データを記憶する記憶部９を含む。ＣＰＵ８はタッチパネル２ａにより検出された接触、接触が行われた位置、接触が行われた時間、および接触が行われた位置の経時変化に基づいてジェスチャーの種別を判別する。また、ＣＰＵ８はディスプレイ２bに記憶部９に保存された画像を表示するように制御する。ＣＰＵ８は「タッチ」のジェスチャーを判別し、行先階の登録を受け付けたときは、行先階ボタンスイッチのテールテールが点灯（表示色の変更）した画像を記憶部９から呼び出し、ディスプレイ２bに表示する。これにより、エレベータの乗客に行先階の登録が受け付けられたことを報知する。
＜実施形態１＞
【００５３】
１−１．構成
実施形態１に係るエレベータ用操作装置の構成について、図４（ａ）および図４（ｂ）を参照して説明する。図４は、本実施形態に係るエレベータ用操作装置１の構成を示す図である。
【００５４】
図４（ａ）において、３ａはエレベータ乗客による前記ジェスチャーが行われる前の位置に表示された行先階登録ボタンである。
【００５５】
図４（ｂ）において、３ｂはエレベータ乗客による前記ジェスチャーが行われた後の位置に表示された行先階登録ボタンである。
【００５６】
１−２．動作
以下、  実施形態１に係るエレベータ用操作装置の動作について、図４（ａ）および図４（ｂ）を参照して説明する。
【００５７】
図４（ａ）において、行先階登録ボタン３ａはエレベータ用操作装置１の中央より下側付近に表示されている。エレベータの乗客がタッチスクリーン２の行先階登録ボタン３ａ付近から図４（ｂ）に表示された行先階登録ボタン３ｂ付近まで図中「Ａ方向」へドラッグを行う。すなわち、エレベータの乗客の指が、タッチスクリーン２の行先階登録ボタン３ａ付近にタッチし、そのまま行先階登録ボタン３ｂ付近までスワイプした後にリリースする。その結果、行先階登録ボタン３の表示位置、具体的には表示高さが変更される。
【００５８】
２．まとめ
これにより、例えば身長の高いエレベータの乗客が操作し辛い位置（表示高さが低い位置）に行先階登録ボタン３ａが表示されていたとしても、前述した直感的なジェスチャーであるドラッグを行うことで、操作し易い位置（高さ）に行先階登録ボタン３ａの表示位置を変えることができる。
【００５９】
（他の実施形態）
前述した実施形態において、行先階登録ボタン３ａの位置から行先階登録ボタン３ｂの位置までドラッグした場合であっても、扉開閉ボタン４および非常呼びボタン５の位置は変更させない。
【００６０】
前述したように扉開閉ボタン４は、エレベータ内にいる乗客がエレベータ内に向かって来る他の乗客に配慮して扉開ボタンをタッチし、また、扉を早く閉めてエレベータかごを出発させたいなど、時間的に余裕のないときに使用されることが多い。また、非常呼びボタン５についても、緊急性が高い場面でタッチされることが多い。しかしながら、行先階登録ボタン３の位置（高さ）が変更されるのに合わせて、扉開閉ボタン４および非常呼びボタン５の位置（高さ）が変更されると、エレベータの乗客は扉開閉ボタン４および非常呼びボタン５を探すことになり、咄嗟に操作することができない。
【００６１】
このことは、普段から当該エレベータに乗り慣れているエレベータの乗客にとって、扉開閉ボタン４および非常呼びボタン５の位置（高さ）を記憶していることから、よりいっそう違和感を感じ、咄嗟に操作することができない。
【００６２】
また、幼児など身長が低い者が扉開閉ボタン４および非常呼びボタン５をタッチしたい場合に、高い位置にこれらのボタンが移動し、表示されていては、操作することが困難となる。
【００６３】
本実施形態によれば、行先階登録ボタン３ａの位置から行先階登録ボタン３ｂの位置までドラッグした場合であっても、扉開閉ボタン４および非常呼びボタン５の位置は変更しないため、これらの問題を解決したエレベータ用操作装置を提供することができる。
【００６４】
なお、操作性が悪くなることから、行先階登録ボタン３と扉開閉ボタン４および非常呼びボタン５の位置（高さ）が重なって表示されることは無い。
＜実施形態２＞
【００６５】
１−１．構成
実施形態２に係るエレベータ用操作装置の構成について、図５（ａ）および図５（ｂ）を参照して説明する。図５は、本実施形態に係るエレベータ用操作装置１の構成を示す図である。
【００６６】
図５（ａ）において、２１はエレベータ乗客による前記ジェスチャーが行われる前にタッチスクリーン２に表示される第一背景である。
【００６７】
図５（ｂ）において、２２はエレベータ乗客による前記ジェスチャーが行われた後にタッチスクリーン２に表示される第二背景である。
【００６８】
１−２．動作
以下、  実施形態２に係るエレベータ用操作装置の動作について、図５（ａ）および図５（ｂ）を参照して説明する。
【００６９】
図５（ａ）において、タッチスクリーン２には行先階登録ボタン３、扉開閉ボタン４および非常呼びボタン５を除いた部分に第一背景２１が表示されている。図５（ａ）の場合、第一背景２１はレンガ模様である。エレベータの乗客が「Ｂ方向」へ「フリック」操作を行う。すなわち、エレベータの乗客の指が、タッチスクリーン２にタッチし、「右フリック」または「左フリック」する。その結果、タッチスクリーン２の行先階登録ボタン３、扉開閉ボタン４および非常呼びボタン５を除いた部分の背景が、第一背景２１から第二背景２２へ変更される。図５（ｂ）の場合、第二背景２２は星模様である。なお、第一背景２１から第二背景２２へ変更は、「上フリック」または「下フリック」により行われることとしても良い。
【００７０】
２．まとめ
これにより、多種類の背景を表示することが可能なため、季節や時間帯等に合った背景を選択し、前述した直感的なジェスチャーであるフリックを行うことで変更することができ、演出性の高いエレベータ用操作装置を提供するこができる。なお、本実施例では２種類の背景に変更可能として説明したが、３種類以上の背景に変更可能としても同様の効果を得られることはもちろんである。
＜実施形態３＞
【００７１】
１−１．構成
実施形態３に係るエレベータ用操作装置の構成について、図６（ａ）および図６（ｂ）を参照して説明する。図６は、本実施形態に係るエレベータ用操作装置１の構成を示す図である。
【００７２】
図６（ａ）において、行先階登録ボタン３、扉開閉ボタン４および非常呼びボタン５はエレベータ乗客による前記ジェスチャーが行われる前にタッチスクリーン２に表示された第一形状をしている。
【００７３】
図６（ｂ）において、行先階登録ボタン１３、扉開閉ボタン２４および非常呼びボタン２５はエレベータ乗客による前記ジェスチャーが行われた後にタッチスクリーン２に表示された第二形状をしている。
【００７４】
１−２．動作
以下、  実施形態３に係るエレベータ用操作装置の動作について、図６（ａ）および図６（ｂ）を参照して説明する。
【００７５】
図６（ａ）において、タッチスクリーン２に表示された行先階登録ボタン３、扉開閉ボタン４および非常呼びボタン５の各ボタンの外形は第一形状である。図６（ａ）の場合、各ボタンの第一形状は外形が丸型である。エレベータの乗客が「Ｂ方向」へ「フリック」操作を行う。すなわち、エレベータの乗客の指が、タッチスクリーン２にタッチし、「右フリック」または「左フリック」する。その結果、タッチスクリーン２の行先階登録ボタン３、扉開閉ボタン４および非常呼びボタン５の各ボタンの外形が、第一形状から第二形状へ変更される。図６（ｂ）の場合、行先階登録ボタン１３、扉開閉ボタン２４および非常呼びボタン２５の各ボタンの第二形状は外形が角型である。なお、各ボタンの第一形状から第二形状へ変更は、「上フリック」または「下フリック」により行われることとしても良い。
【００７６】
２．まとめ
これにより、表示される各ボタンの形状を多種類の形状へ変更することが可能なため、季節や時間帯等に合ったボタン形状を選択することができ、演出性の高いエレベータ用操作装置を提供するこができる。なお、本実施例では２種類のボタン形状に変更可能として説明したが、３種類以上のボタン形状に変更可能としても同様の効果を得られることはもちろんである。
＜実施形態４＞
【００７７】
１−１．構成
実施形態４に係るエレベータ用操作装置の構成について、図７（ａ）および図７（ｂ）を参照して説明する。図７は、本実施形態に係るエレベータ用操作装置１の構成を示す図である。
【００７８】
図７（ａ）において、２３はエレベータ乗客による前記ジェスチャーが行われる前に表示された低層階の行先階群を示す行先階登録ボタンである。本図において、行先階登録ボタンは各ボタンが１階乃至１６階を示す。
【００７９】
図７（ｂ）において、３３はエレベータ乗客による前記ジェスチャーが行われた後に表示された高層階の行先階群を示す行先階登録ボタンである。本図において、行先階登録ボタンは各ボタンが１７階乃至３２階を示す。
【００８０】
１−２．動作
以下、  実施形態４に係るエレベータ用操作装置の動作について、図７（ａ）および図７（ｂ）を参照して説明する。
【００８１】
図７（ａ）において、行先階登録ボタン２３は低層階の行先階群を示す行先階登録ボタンが表示されている。エレベータの乗客が「Ａ方向」へ「フリック」操作を行う。すなわち、エレベータの乗客の指が、タッチスクリーン２にタッチし、「上フリック」または「下フリック」する。その結果、タッチスクリーン２の行先階登録ボタン２３は行先階登録ボタン３３へ変更される。すなわち、低層階の行先階群を示す行先階登録ボタンから高層階の行先階群を示す行先階登録ボタンへ画面遷移する。なお、行先階登録ボタン２３から行先階登録ボタン３３への変更は、「左フリック」または「右フリック」により行われることとしても良い。また、高層階の行先階群を示す行先階登録ボタンから低層階の行先階群を示す行先階登録ボタンへ画面遷移するものであっても良いことはもちろんである。
【００８２】
２．まとめ
停止階数の多い建築物の場合、全ての行先階登録ボタンを表示すると上端付近または下端付近の行先階登録ボタンは操作し難くなるが、本実施例によれば、適当な個数の行先階登録装置を操作し易い位置（高さ）に表示できるため、停止階数の多い建築物であっても操作性の良いエレベータ用操作装置を提供することができる。
＜実施形態５＞
【００８３】
１−１．構成
実施形態５に係るエレベータ用操作装置の構成について、図８（ａ）および図８（ｂ）を参照して説明する。図８は、本実施形態に係るエレベータ用操作装置１の構成を示す図である。
【００８４】
図８（ａ）において、４３はエレベータ乗客による前記ジェスチャーが行われる前に表示された大きさおよび数の行先階登録ボタンである。本図において、１階乃至１６階が表示された行先階登録ボタンが１６個表示されている。
【００８５】
図８（ｂ）において、５３はエレベータ乗客による前記ジェスチャーが行われた後に表示された大きさおよび数の行先階登録ボタンである。本図において、１階乃至３６階が表示された行先階登録ボタンが３６個表示されている。
【００８６】
１−２．動作
以下、  実施形態５に係るエレベータ用操作装置の動作について、図８（ａ）および図８（ｂ）を参照して説明する。
【００８７】
図８（ａ）において、行先階登録ボタン４３は１階乃至１６階用として行先階登録ボタンが１６個表示されている。エレベータの乗客が行先階登録ボタンの近傍で「ピンチイン」操作を行う。すなわち、エレベータの乗客の指が、タッチスクリーン２にタッチし、「ピッチイン」する。その結果、タッチスクリーン２の行先階登録ボタン４３は行先階登録ボタン５３へ変更される。すなわち、各行先階登録ボタンの表示が小さくなり、表示される行先階登録ボタンの数が１階乃至３６階用として３６個表示される。
【００８８】
なお、新たな操作が行われることなく所定時間が経過した場合、元の大きさおよび数の行先階登録ボタンの表示に戻るとしても良い。
【００８９】
なお、本実施形態では行先階登録ボタンの数が１６個から３６個に変化する場合について説明したが、行先階登録ボタンの数が２以上の個数からそれより多い３以上の個数に変化するものであれば同様の効果を奏することはもちろんである。
【００９０】
また、本実施形態は行先階登録ボタンについて説明したが、扉開閉ボタンまたは非常呼びボタンであっても同様の効果を奏することはもちろんである。
【００９１】
２．まとめ
停止階数の多い建築物の場合、実施例４のように、適当な個数の行先階登録装置を操作し易い位置（高さ）に表示させ、操作性を優先したエレベータ用操作装置を提供することもできるが、本実施形態は一度に多くの行先階登録ボタンを表示させることにより、目的とする行先階登録ボタンをすばやく探し出すことができるという異なる効果を奏するエレベータ用操作装置を提供することができる。
＜実施形態６＞
【００９２】
１−１．構成
実施形態６に係るエレベータ用操作装置の構成について、図９（ａ）および図９（ｂ）を参照して説明する。図９は、本実施形態に係るエレベータ用操作装置１の構成を示す図である。
【００９３】
図９（ａ）において、６３はエレベータ乗客による前記ジェスチャーが行われる前に表示された大きさおよび数の行先階登録ボタンである。本図において、１階乃至１６階が表示された行先階登録ボタンが１６個表示されている。
【００９４】
図９（ｂ）において、７３はエレベータ乗客による前記ジェスチャーが行われた後に表示された大きさおよび数の行先階登録ボタンである。本図において、１階、３階、５階および７階が表示された行先階登録ボタンが４個表示されている。
【００９５】
１−２．動作
以下、  実施形態６に係るエレベータ用操作装置の動作について、図９（ａ）および図９（ｂ）を参照して説明する。
【００９６】
図９（ａ）において、行先階登録ボタン６３は１階乃至１６階用として行先階登録ボタンが１６個表示されている。エレベータの乗客が行先階登録ボタンの近傍で「ピンチアウト」操作を行う。すなわち、エレベータの乗客の指が、タッチスクリーン２にタッチし、「ピッチアウト」する。その結果、タッチスクリーン２の行先階登録ボタン６３は行先階登録ボタン７３へ変更される。すなわち、各行先階登録ボタンの表示が大きくなり、表示される行先階登録ボタンの数が１階、３階、５階および７階用として４個表示される。
【００９７】
なお、新たな操作が行われることなく所定時間が経過した場合、元の大きさおよび数の行先階登録ボタンの表示に戻るとしても良い。
【００９８】
なお、本実施形態では行先階登録ボタンの数が１６個から４個に変化する場合について説明したが、行先階登録ボタンの数が２以上の個数からそれより少ない１以上の個数に変化するものであれば同様の効果を奏することはもちろんである。
【００９９】
また、本実施形態は行先階登録ボタンについて説明したが、扉開閉ボタンまたは非常呼びボタンであっても同様の効果を奏することはもちろんである。
【０１００】
２．まとめ
例えば弱視者やお年寄りは行先階登録ボタン上に表示された行先階を表す文字を識別することが困難な場合がある。本実施形態によれば、行先階登録ボタンを拡大して表示させることができるため、弱視者やお年寄りが表示された文字を識別しやすいエレベータ用操作装置を提供することができる。
＜実施形態７＞
【０１０１】
１−１．構成
実施形態７に係るエレベータ用操作装置の構成について、図１０（ａ）および図１０（ｂ）を参照して説明する。図１０は、本実施形態に係るエレベータ用操作装置１の構成を示す図である。
【０１０２】
図１０（ａ）において、８３ａはエレベータ乗客による前記ジェスチャーが行われる前の位置に表示された行先階登録ボタンである。また、３４はエレベータ乗客による前記ジェスチャーが行われる前の位置に表示された扉開閉ボタンである。さらにまた、３５はエレベータ乗客による前記ジェスチャーが行われる前の位置に表示された非常呼びボタンである。
【０１０３】
図１０（b）において、８３bはエレベータ乗客による前記ジェスチャーが行われた後の位置に表示された行先階登録ボタンである。また、４４はエレベータ乗客による前記ジェスチャーが行われた後の位置に表示された扉開閉ボタンである。さらにまた、４５はエレベータ乗客による前記ジェスチャーが行われた後の位置に表示された非常呼びボタンである。また、Ｘは各ボタンの表示が許可される床面からの最大高さを示す第１の制限表示高さである。
【０１０４】
１−２．動作
以下、  実施形態７に係るエレベータ用操作装置の動作について、図１０（ａ）および図１０（ｂ）を参照して説明する。
【０１０５】
図１０（ａ）において、行先階登録ボタン８３ａ及び扉開閉ボタン３４はエレベータ用操作装置１の中央より下側付近に表示されている。また、非常呼びボタン３５はエレベータ用操作装置１の中央より上側付近に表示されている。エレベータの乗客がタッチスクリーン２の行先階登録ボタン８３ａ付近から図１０（ｂ）に表示された行先階登録ボタン８３ｂ付近まで図中「Ａ方向」へドラッグを行う。すなわち、エレベータの乗客の指が、タッチスクリーン２の行先階登録ボタン８３ａ付近にタッチし、そのまま行先階登録ボタン８３ｂ付近までスワイプした後にリリースする。その結果、行先階登録ボタン８３の表示位置、具体的には表示高さが変更される。
【０１０６】
このとき、扉開閉ボタン３４は行先階登録ボタン８３と同じ移動量で表示高さが変更される。具体的には、扉開閉ボタン３４は扉開閉ボタン４４の表示高さに変更される。一方、非常呼びボタン３５も行先階登録ボタン８３と共に移動するが、非常呼びボタン３５が床面からの高さＸ（第１の制限表示高さ）に達したとろで、それ以上移動することなく、床面からの高さＸで表示を維持する。すなわち、行先階登録ボタン８３aが行先階登録ボタン８３bへ移動中であっても、非常呼びボタン４５の位置（床面からの高さＸ）で留まって、表示を維持する。
【０１０７】
２．まとめ
これにより、画面遷移しても非常呼びボタン４５が第１の制限表示高さＸ以上に移動しないため、非常呼びボタン４５が高い位置に表示されると操作が困難な乗客（例えば、子供や身長の低い乗客）が非常時・緊急時にボタンを操作することができない事態を回避することができる。
＜実施形態８＞
【０１０８】
１−１．構成
実施形態８に係るエレベータ用操作装置の構成について、図１１（ａ）および図１１（ｂ）を参照して説明する。図１１は、本実施形態に係るエレベータ用操作装置１の構成を示す図である。
【０１０９】
図１１（ａ）において、９３ａはエレベータ乗客による前記ジェスチャーが行われる前の位置に表示された行先階登録ボタンである。また、５４はエレベータ乗客による前記ジェスチャーが行われる前の位置に表示された扉開閉ボタンである。さらにまた、５５はエレベータ乗客による前記ジェスチャーが行われる前の位置に表示された非常呼びボタンである。
【０１１０】
図１１（b）において、９３bはエレベータ乗客による前記ジェスチャーが行われた後の位置に表示された行先階登録ボタンである。また、６４はエレベータ乗客による前記ジェスチャーが行われた後の位置に表示された扉開閉ボタンである。さらにまた、６５はエレベータ乗客による前記ジェスチャーが行われた後の位置に表示された非常呼びボタンである。また、Ｙは各ボタンの表示が許可される床面からの最小高さを示す第２の制限表示高さである。
【０１１１】
１−２．動作
以下、  実施形態８に係るエレベータ用操作装置の動作について、図１１（ａ）および図１１（ｂ）を参照して説明する。
【０１１２】
図１１（ａ）において、扉開閉ボタン５４はエレベータ用操作装置１の中央より下側付近に表示されている。また、行先階登録ボタン９３ａ及び非常呼びボタン５５はエレベータ用操作装置１の中央より上側付近に表示されている。エレベータの乗客がタッチスクリーン２の行先階登録ボタン９３ａ付近から図１１（ｂ）に表示された行先階登録ボタン９３ｂ付近まで図中「Ａ方向」へドラッグを行う。すなわち、エレベータの乗客の指が、タッチスクリーン２の行先階登録ボタン９３ａ付近にタッチし、そのまま行先階登録ボタン９３ｂ付近までスワイプした後にリリースする。その結果、行先階登録ボタン９３の表示位置、具体的には表示高さが変更される。
【０１１３】
このとき、非常呼びボタン５５は行先階登録ボタン９３と同じ移動量で表示高さが変更される。具体的には、非常呼びボタン５５は非常呼びボタン６５の表示高さに変更される。一方、扉開閉ボタン４も行先階登録ボタン９３と共に移動するが、扉開閉ボタン５４が床面からの高さＹ（第２の制限表示高さ）に達したとろで、それ以上移動することなく、床面からの高さＹで表示を維持する。すなわち、行先階登録ボタン９３aが行先階登録ボタン９３bへ移動中であっても、扉開閉ボタン６４の位置（床面からの高さＹ）で留まって、表示を維持する。
【０１１４】
２．まとめ
これにより、面遷移しても扉開閉ボタン６４が第２の制限表示高さＹ以下に移動しないため、扉開閉ボタン６４の表示位置が低すぎて窮屈な姿勢での操作を強いられる事態を回避することができる。
【０１１５】
なお、上記の各実施形態は、エレベータかご内に設置したエレベータ用操作装置として説明したが、乗場に設置した行先階登録装置としてのエレベータ用装置であっても同様の作用、効果を得ることができるのはもちろんである。
【０１１６】
本発明は、上述した実施の形態に限定されず、各実施形態において種々の変形が適宜、行われてもよい。また、個々の実施形態で説明した種々の特徴を組み合わせて、更なる実施の形態とすることも可能である。上述した実施形態は例示であり、本発明は上記の実施形態に限定されない。本発明の範囲は上記した説明ではなく特許請求の範囲によって示され、特許請求の範囲またはその均等の範囲において種々の変形を適宜、行うことができる。
【符号の説明】
【０１１７】
１…エレベータ用操作装置
２…タッチスクリーン
２ａ…タッチパネル
２ｂ…ディスプレイ
３…行先階登録ボタン
３ａ…行先階登録ボタン
３ｂ…行先階登録ボタン
４…扉開閉ボタン
５…非常呼びボタン
６…表示部
７…制御部
８…ＣＰＵ
９…記憶部
１０…かごドア
１１…袖壁
２１…第一背景
２２…第二背景
２３…行先階登録ボタン
２４，３４，４４，５４，６４…扉開閉ボタン
２５，３５，４５，５５，６５…非常呼びボタン
１３，２３，３３，４３，５３，６３，７３…行先階登録ボタン
Ｘ…第１の制限表示高さ
Ｙ…第2の制限表示高さ
【図１】
2019026417.tif 000003
【図２】
2019026417.tif 000004
【図３】
2019026417.tif 000005
【図４】
2019026417.tif 000006
【図５】
2019026417.tif 000007
【図６】
2019026417.tif 000008
【図７】
2019026417.tif 000009
【図８】
2019026417.tif 000010
【図９】
2019026417.tif 000011
【図１０】
2019026417.tif 000012
【図１１】
2019026417.tif 000013